(57)【特許請求の範囲】
【請求項１】
ヘッドマウントディスプレイと、ヘッドマウントディスプレイの少なくとも一部である被覆部を覆うように装着可能なカバーとを備えたヘッドマウントディスプレイカバーシステムであって、
前記ヘッドマウントディスプレイは、
画像を表示する表示部と、
使用者の頭部に固定される固定部と、
前記被覆部に設けられたベース部と、
前記ベース部に回転可能に設けられた操作部と
を有し、
前記カバーは、
前記操作部に対して対向する面である第一面を有し、
前記第一面は、外側から加わる力によって変形し、且つ、前記操作部が第一回転方向へ回転するための力である第一回転力を、前記操作部に付与する第一部位を含み、
前記操作部が前記第一回転方向へ回転した後に前記第一部位が復元する場合において、前記操作部に付与される前記第一回転方向とは反対方向を向く力の大きさが、ゼロである、又は前記第一回転力の大きさよりも小さいことを特徴とするヘッドマウントディスプレイカバーシステム。
【請求項２】
前記第一面は、
前記外側から加わる力が作用していない状態では、前記第一部位が、前記操作部に対して、前記操作部の回転軸と直交する半径方向に第一離間距離だけ隙間を有するように、対向し、
前記操作部に対して接触した状態では、前記回転軸を中心とした円周方向に変形可能であることを特徴とする請求項１に記載のヘッドマウントディスプレイカバーシステム。
【請求項３】
前記第一部位は、前記操作部のうち前記円周方向における一部と対向することを特徴とする請求項２に記載のヘッドマウントディスプレイカバーシステム。
【請求項４】
前記カバーは、前記ベース部に接触する接触部位を備え、
前記接触部位は、前記第一部位が前記操作部に接触して移動した場合に、前記ベース部に対する相対移動量が前記第一部位の移動量よりも小さいことを特徴とする請求項２に記載のヘッドマウントディスプレイカバーシステム。
【請求項５】
前記第一面は、前記第一部位に対して前記円周方向の両側にそれぞれ位置し、且つ、前記操作部に対して離間する二つの第二部位を有し、
各前記第二部位と前記操作部との第二離間距離は、前記第一離間距離よりも長いことを特徴とする請求項２から４のいずれかに記載のヘッドマウントディスプレイカバーシステム。
【請求項６】
前記カバーは、
前記第一面を含み、前記操作部を覆う第一壁部と、
前記ベース部を覆う第二壁部と
を有し、
前記第一壁部の少なくとも一部の厚みは、前記第二壁部の厚みよりも薄いことを特徴とする請求項１から５のいずれかに記載のヘッドマウントディスプレイカバーシステム。
【請求項７】
前記表示部は、前記被覆部に収容されることを特徴とする請求項１から６のいずれかに記載のヘッドマウントディスプレイカバーシステム。
【請求項８】
前記カバーは、前記表示部が前記画像を表示する位置に設けられた貫通穴を備えたことを特徴とする請求項７に記載のヘッドマウントディスプレイカバーシステム。
【請求項９】
前記表示部は、前記被覆部に設けられ、
前記カバーは、前記表示部が前記画像を表示する位置に設けられた透明部材を有することを特徴とする請求項１から７のいずれかに記載のヘッドマウントディスプレイカバーシステム。
【請求項１０】
前記第一部位は、凹凸形状であることを特徴とする請求項１から９のいずれかに記載のヘッドマウントディスプレイカバーシステム。
【請求項１１】
前記操作部は、前記ベース部から一方向へ突出しており、
前記カバーは、
前記一方向の側から前記操作部に対向する第一対向部と、
前記一方向とは反対の他方向の側から前記ベース部に対向する第二対向部と
を有し、
前記第一対向部から前記第二対向部までの前記一方向と平行な方向における距離である第一距離から、前記操作部の前記一方向の端から、前記ベース部の前記他方向の端までの前記一方向と平行な方向における距離である第二距離を、差しい引いた距離である第三距離は、前記操作部が前記ベース部から突出する最大の距離である第四距離よりも短いことを特徴とする請求項１から１０のいずれかに記載のヘッドマウントディスプレイカバーシステム。
【請求項１２】
前記カバーは、前記ベース部に接触する第一接触部位および第二接触部位を備え、
前記第一接触部位と前記第二接触部位との距離は前記カバーを前記被覆部に装着しない状態では前記被覆部に装着した状態よりも短いことを特徴とする請求項１から１１のいずれかに記載のヘッドマウントディスプレイカバーシステム。
【請求項１３】
ヘッドマウントディスプレイの少なくとも一部である被覆部を覆うように装着可能であり、且つ、前記ヘッドマウントディスプレイが、画像を表示する表示部と、使用者の頭部に固定される固定部と、前記被覆部に設けられたベース部と、前記ベース部に回転可能に設けられた操作部とを有した、カバーであって、
前記操作部に対して対向する面である第一面を有し、
前記第一面は、外側から加わる力によって変形し、且つ、前記操作部が第一回転方向へ回転するための力である第一回転力を、前記操作部に付与する第一部位を含み、
前記操作部が前記第一回転方向へ回転した後に前記第一部位が復元する場合において、前記操作部に付与される前記第一回転方向とは反対方向を向く力の大きさが、ゼロである、又は前記第一回転力の大きさよりも小さいことを特徴とするカバー。
【発明の詳細な説明】
【技術分野】
【０００１】
本発明は、ヘッドマウントディスプレイカバーシステム、及びカバーに関する。
【背景技術】
【０００２】
ヘッドマウントディスプレイ（以下、ＨＭＤという場合がある）は、様々な場所で使われている。例えば、手術室などの医療現場でＨＭＤが使用された場合、使用者である術者は、ＨＭＤの表示部と、実視野とを、最小限の視線移動で交互に参照することで、必要な情報を得ることができるという利点がある。このような利点から、ＨＭＤが医療現場でも利用されはじめている。医療現場においては、感染症防止の観点から、無菌状態が維持された清潔エリアと、清潔ではない不潔エリアとが区分される。さらに、術者は不潔エリアに接触しないように管理される。首、顔、及び髪の毛は、不潔エリアに該当するので、術者の頭部に装着するＨＭＤは、一般に不潔となる。従って、術者は、通常、手術中にＨＭＤに触れることができない。即ち、手術を行っている術者は、通常のＨＭＤを医療現場で使用しても、ＨＭＤの装着位置の調整、及び操作インターフェースを使った各種操作等ができないという問題点がある。また、手術中でなくても患者の唾液や血液などの飛沫がＨＭＤに付着する可能性があることを鑑みれば、ＨＭＤを清潔に保つ処置が何ら取られることなく、同じＨＭＤが別の患者の手術現場で使用されることは好ましくない。
【０００３】
ＨＭＤを清潔に保つための方法として、ＨＭＤを滅菌する方法と、清潔なカバー等でＨＭＤの少なくとも一部を覆う方法とが考えられる。ＨＭＤを減菌する方法として、例えば高温高圧となる場所に所定の時間ＨＭＤを配置する方法が挙げられるが、ＨＭＤは液晶などの電子機器を含むので、この方法は現実的でない。一方、術者の髪及び顔から離れたＨＭＤの部分を汚染防止用のカバーで覆う方法は、清潔に関する課題に対しての現実的な解決策となり得る。例えば、特許文献１に開示のＨＭＤカバーシステムは、ＨＭＤと、ジャケットとを備える。ＨＭＤは、画像を表示するディスプレイ部を備える。ジャケットは、ディスプレイ部を覆う減菌可能なカバーである。
【先行技術文献】
【特許文献】
【０００４】
【特許文献１】特開２０１２−２３４９５号公報
【発明の概要】
【発明が解決しようとする課題】
【０００５】
上記構成に加えて、ダイヤルがディスプレイ部に設けられたＨＭＤカバーシステムが考えられる。ダイヤルは、ＨＭＤのピント調整を一例とする各種調整の指示を入力するための、ダイヤル状のインターフェースである。押下式のインターフェースであるボタンが採用される場合よりも、ダイヤルが採用された場合の方が、術者は、多段階又は無段階の各種調整を、素早く且つ直感的にできるという利点がある。また、ダイヤルと調整対象物とが調整ネジ等によって直結されていれば、術者は、ダイヤルを回転させることで、調整対象物を物理的に動かすことができる。従って、ダイヤルが採用された場合の方が、ＨＭＤカバーシステムの構成が簡易化するという利点もある。
【０００６】
しかしながら、上記ＨＭＤカバーシステムでは、ジャケットを介したダイヤルの操作が、ジャケットを介したボタンの操作よりも、やり辛いという問題点がある。ディスプレイ部に細菌等が付着することを抑制するためには、ディスプレイ部とダイヤルを一体的にジャケットで覆う構成は、好都合である。一方、ダイヤルをディスプレイ部に対して回転させるためには、上記構成は不都合となる。
【０００７】
本発明の目的は、ヘッドマウントディスプレイの清潔性を保ち易く、且つヘッドマウントディスプレイに設けられた操作部を、カバーを介して操作可能なヘッドマウントディスプレイカバーシステム、及びカバーを提供することである。
【課題を解決するための手段】
【０００８】
本発明の第一態様に係るヘッドマウントディスプレイカバーシステムは、ヘッドマウントディスプレイと、ヘッドマウントディスプレイの少なくとも一部である被覆部を覆うように装着可能なカバーとを備えたヘッドマウントディスプレイカバーシステムであって、前記ヘッドマウントディスプレイは、画像を表示する表示部と、使用者の頭部に固定される固定部と、前記被覆部に設けられたベース部と、前記ベース部に回転可能に設けられた操作部とを有し、前記カバーは、前記操作部に対して対向する面である第一面を有し、前記第一面は、外側から加わる力によって変形し、且つ、前記操作部が第一回転方向へ回転するための力である第一回転力を、前記操作部に付与する第一部位を含み、前記操作部が前記第一回転方向へ回転した後に前記第一部位が復元する場合において、前記操作部に付与される前記第一回転方向とは反対方向を向く力の大きさが、ゼロである、又は前記第一回転力の大きさよりも小さいことを特徴とする。
【０００９】
上記構成によれば、使用者が、手でカバーに力を加えて第一面を変形させると、第一部位は、操作部に第一回転力を付与する。これにより、操作部は第一回転方向に回転する。そして、使用者がカバーから手を離すと、第一部位は元の形状に復元する。第一部位が復元する場合において、第一回転方向とは反対方向を向く力の大きさがゼロである、又は第一回転力の大きさよりも小さい。従って、操作部は回転前の回転位置に戻りにくい。また、カバーが被覆部を被覆するので、ヘッドマウントディスプレイは外気に晒されにくい。従って、ヘッドマウントディスプレイの清潔性は保たれ易い。以上より、ヘッドマウントディスプレイの清潔性を保ち易く、且つ、ヘッドマウントディスプレイに設けられた操作部を、カバーを介して操作可能なヘッドマウントディスプレイカバーシステムが実現される。
【００１０】
前記ヘッドマウントディスプレイカバーシステムにおいて、前記第一面は、前記外側から加わる力が作用していない状態では、前記第一部位が、前記操作部に対して、前記操作部の回転軸と直交する半径方向に第一離間距離だけ隙間を有するように、対向し、前記操作部に対して接触した状態では、前記回転軸を中心とした円周方向に変形可能であってもよい。この場合、使用者が手でカバーを変形させると、第一面は、第一部位が操作部から離間する形状から、第一部位が操作部に接触する形状に変形する。これにより、使用者は、カバーを介して操作部を回転させることができる。カバーが復元を開始する場合、第一部位は操作部から離間する。従って、回転した操作部は、回転前の回転位置まで更に戻りにくくなる。
【００１１】
前記ヘッドマウントディスプレイカバーシステムにおいて、前記第一部位は、前記操作部のうち前記円周方向における一部と対向してもよい。この場合、操作部とカバーとが互いに接触する円周方向の位置が限定される。従って、ヘッドマウントディスプレイカバーシステムは、第一部位の変形量を増大させつつも、カバー全体をコンパクト化できる。また、使用者は、操作部を操作する場合に、カバーの同じ部位を触ることができるので、カバーを被覆部から外させる突発的な力は、発生しにくい。
【００１２】
前記ヘッドマウントディスプレイカバーシステムにおいて、前記カバーは、前記ベース部に接触する接触部位を備え、前記接触部位は、前記第一部位が前記操作部に接触して移動した場合に、前記ベース部に対する相対移動量が前記第一部位の移動量よりも小さくてもよい。この場合、使用者は、カバーに触れて操作部を回転させる操作を、片手で行うことができる。
【００１３】
前記ヘッドマウントディスプレイカバーシステムにおいて、前記第一面は、前記第一部位に対して前記円周方向の両側にそれぞれ位置し、且つ、前記操作部に対して離間する二つの第二部位を有し、各前記第二部位と前記操作部との第二離間距離は、前記第一離間距離よりも長くてもよい。この場合、操作部に接触した第一部位を使用者が回転させる場合に、第二部位は操作部に接触しにくい。使用者は、第二部位を操作部に接触させることなく、大きなストロークで第一面を変形させ易い。よって、ヘッドマウントディスプレイカバーシステムは、操作部を回転させる操作性を向上できる。
【００１４】
前記ヘッドマウントディスプレイカバーシステムにおいて、前記カバーは、前記第一面を含み、前記操作部を覆う第一壁部と、前記ベース部を覆う第二壁部とを有し、前記第一壁部の少なくとも一部の厚みは、前記第二壁部の厚みよりも薄くてもよい。この場合、第一壁部の少なくとも一部は、第二壁部よりも変形し易いので、使用者は、操作部を回転させ易い。また、第二壁部は、第一壁部よりも変形しにくいので、ベース部に対してずれにくく、且つ、ベース部に対して外れにくい。よって、ヘッドマウントディスプレイカバーシステムは、操作部を回転させる操作性を更に向上できる。
【００１５】
前記ヘッドマウントディスプレイカバーシステムにおいて、前記表示部は、前記被覆部に収容されてもよい。この場合、使用者は、被覆部に直接触れることなく、表示部が画像を表示する位置を調整する操作と、操作部を回転させる操作とを行うことができる。よって、ヘッドマウントディスプレイの清潔性は更に保たれ易い。
【００１６】
前記ヘッドマウントディスプレイカバーシステムにおいて、前記カバーは、前記表示部が前記画像を表示する位置に設けられた貫通穴を備えてもよい。この場合、表示部の画像の画像光が貫通穴を通過する。従って、ヘッドマウントディスプレイカバーシステムは、ヘッドマウントディスプレイの清潔性を保ちつつ、表示部が表示する画像の視認性を維持できる。
【００１７】
前記ヘッドマウントディスプレイカバーシステムにおいて、前記表示部は、前記被覆部に設けられ、前記カバーは、前記表示部が前記画像を表示する位置に設けられた透明部材を有してもよい。この場合、透明部材が設けられることで、ヘッドマウントディスプレイは外気に更に晒されにくい。また、透明部材は表示部が表示する画像の画像光を通過させることができる。よって、ヘッドマウントディスプレイカバーシステムは、表示部が表示する画像の視認性を維持しつつ、ヘッドマウントディスプレイの清潔性を更に向上できる。
【００１８】
前記ヘッドマウントディスプレイカバーシステムにおいて、前記第一部位は、凹凸形状であってもよい。この場合、第一部位と操作部との間で生じる摩擦力が増大するので、第一部位は操作部に対して滑りにくい。よって、ヘッドマウントディスプレイカバーシステムは、操作部を回転させる操作性を更に向上できる。
【００１９】
前記ヘッドマウントディスプレイカバーシステムにおいて、前記操作部は、前記ベース部から一方向へ突出しており、前記カバーは、前記一方向の側から前記操作部に対向する第一対向部と、前記一方向とは反対の他方向の側から前記ベース部に対向する第二対向部とを有し、前記第一対向部から前記第二対向部までの前記一方向と平行な方向における距離である第一距離から、前記操作部の前記一方向の端から、前記ベース部の前記他方向の端までの前記一方向と平行な方向における距離である第二距離を、差しい引いた距離である第三距離は、前記操作部が前記ベース部から突出する最大の距離である第四距離よりも短くてもよい。この場合、第一部位は、操作部に対して、一方向と平行な方向にずれにくい。従って、変形した第一部位は、操作部に接触し易い。よって、ヘッドマウントディスプレイカバーシステムは、操作部を回転させる操作性を更に向上できる。
【００２０】
前記ヘッドマウントディスプレイカバーシステムにおいて、前記カバーは、前記ベース部に接触する第一接触部位および第二接触部位を備え、前記第一接触部位と前記第二接触部位との距離は前記カバーを前記被覆部に装着しない状態では前記被覆部に装着した状態よりも短くてもよい。この場合、使用者がカバーを被覆部に装着した場合、第一接触部位と第二接触部位は、ベース部に密着する。従って、ベース部はカバーに対してずれにくいので、変形した第一部位は、元の形状に復元し易い。
【００２１】
本発明の第二態様に係るカバーは、ヘッドマウントディスプレイの少なくとも一部である被覆部を覆うように装着可能であり、且つ、前記ヘッドマウントディスプレイが、画像を表示する表示部と、使用者の頭部に固定される固定部と、前記被覆部に設けられたベース部と、前記ベース部に回転可能に設けられた操作部とを有した、カバーであって、前記操作部に対して対向する面である第一面を有し、前記第一面は、外側から加わる力によって変形し、且つ、前記操作部が第一回転方向へ回転するための力である第一回転力を、前記操作部に付与する第一部位を含み、前記操作部が前記第一回転方向へ回転した後に前記第一部位が復元する場合において、前記操作部に付与される前記第一回転方向とは反対方向を向く力の大きさが、ゼロである、又は前記第一回転力の大きさよりも小さいことを特徴とする。この場合、カバーは、上記ヘッドマウントディスプレイカバーシステムと同様の効果を奏する。
【図面の簡単な説明】
【００２２】
【図１】ＨＭＤカバーシステム１の斜視図。
【図２】カバー１００と被覆部５０の斜視図。
【図３】カバー１００と被覆部５０の別の斜視図。
【図４】被覆部５０の斜視図。
【図５】図２のＣ−Ｃ線矢視方向におけるカバー１００と被覆部５０の断面図。
【図６】図１のＢ−Ｂ線矢視方向におけるカバー１００と被覆部５０の断面図。
【図７】図１のＡ−Ａ線矢視方向におけるカバー１００と操作部５５の断面図。
【図８】図１のＢ−Ｂ線矢視方向における、未装着のカバー１００の断面図。
【図９】第一部位１３１が操作部５５に接触するカバー１００の側面図。
【図１０】第一部位１３１が操作部５５と一体的に移動するカバー１００の側面図。
【図１１】透明部材１０９が設けられたベース壁部１１０の斜視図。
【図１２】第一変形例であるカバー２００の斜視図。
【図１３】図１２のＤ−Ｄ線矢視方向において、操作部５５が回転させられる流れを示す説明図である。
【図１４】第二変形例であるカバー３００の斜視図。
【図１５】図１４のＥ−Ｅ線矢視方向におけるカバー３００と操作部５５の断面図。
【図１６】第三変形例であるカバー４００の斜視図。
【図１７】図１６のＦ−Ｆ線矢視方向におけるカバー４００と操作部５５の断面図。
【発明を実施するための形態】
【００２３】
以下、本発明の実施形態について、図面を参照して説明する。図１に示すように、ヘッドマウントディスプレイカバーシステム１は、ヘッドマウントディスプレイ（Head Mounted Display）１０と、カバー１００とを備える。以下、ヘッドマウントディスプレイを「ＨＭＤ」と表記する。
【００２４】
ＨＭＤカバーシステム１の概略を説明する。ＨＭＤ１０は、使用者の頭部に装着可能な光学透過型のＨＭＤである。ＨＭＤ１０の投影形式は、一例として虚像投影型である。ＨＭＤ１０は、画像表示装置３７（図４参照）によって生成される画像光を複数のレンズ（図示外）で集光した後、ハーフミラー３５（図４参照）へ導く。集光された光は、ハーフミラー３５によって反射された後、使用者の片側の眼に向けて射出される。また、ハーフミラー３５は、使用者の眼前の景色の光を透過させて、使用者の眼に直接導く。使用者は、眼前の景色に画像を重ねて認識することができる。カバー１００は、ＨＭＤ１０の一部を覆う弾性変形可能なゴム部材である。本例のＨＭＤカバーシステム１は、一例として、高い清潔性が求められる医療現場で使用される。使用者である医師は、ＨＭＤ１０が投影する画像と、実視野とを交互に見ながら、手術を行うことができる。
【００２５】
以下、図１の上方、下方、右下方、左上方、左下方、及び右上方を、それぞれ、ＨＭＤカバーシステム１の上方、下方、左方、右方、前方、及び後方と定義して説明する。ＨＭＤカバーシステム１の上方、下方、左方、右方、前方、及び後方は、それぞれ、ＨＭＤ１０を装着した使用者にとっての、上方、下方、左方、右方、前方、及び後方に対応する。
【００２６】
また、生成された画像光がハーフミラー３５へ導かれる方向を、「第一方向」と称す場合があり、第一方向とは反対方向を「第二方向」と称す場合があり、第一方向と第二方向を総称して「光軸方向」と称す場合がある。また、ハーフミラー３５が画像光を射出する方向を「第三方向」と称す場合があり、第三方向とは反対方向を「第四方向」と称す場合があり、第三方向と第四方向を総称して「視線方向」と称す場合がある。本例では、視線方向と光軸方向は互いに直交する。さらに、光軸方向と視線方向とのそれぞれと直交する方向を「垂直方向」と称す場合があり、垂直方向の一方向を「第五方向」と称す場合があり、第五方向とは反対方向を第六方向と称す場合がある。第一方向から第六方向は、いずれも、ＨＭＤ１０の後述の被覆部５０（図２参照）を基準として定義される。図１に示されるＨＭＤカバーシステム１が使用される場合、被覆部５０は使用姿勢にあり、第一方向、第二方向、第三方向、第四方向、第五方向、及び第六方向は、それぞれ、ＨＭＤカバーシステム１の右方向、左方向、後方向、前方向、上方向、下方向と一致する。
【００２７】
図１〜図６を参照し、ＨＭＤ１０の構造を説明する。図１に示すように、ＨＭＤ１０は、固定具５、アーム４、及び被覆部５０（図２参照）を備える。固定具５は、樹脂や金属（例えば、ステンレス）などの可撓性を有する材質で構成される。固定具５は、略環状に延びる板状部材である。固定具５の後部は開環する。使用者は、固定具５を手で押し広げながら、自身の頭部を固定具５の内側に進入させる。固定具５が所定の装着位置に配置された後、使用者は固定具５から手を離す。これにより、固定具５は、使用者の頭部を挟み込んだ状態で固定される。
【００２８】
アーム４は固定具５よりも左前方に配置される。アーム４は、一端部４Ａと他端部４Ｂとを含む。一端部４Ａは、第一連結機構７１を介して固定具５に連結される。本例の第一連結機構７１では、周知のボールジョイントが採用される。アーム４は、一端部４Ａと第一連結機構７１との連結位置を支点として、回転自在である。他端部４Ｂは、後述の被覆部５０に連結する。
【００２９】
図２、図４、図５を参照し、被覆部５０の構造を説明する。被覆部５０は、ベース部３１及び操作部５５を備える。ベース部３１は、光軸方向に延びる中空箱状である。ベース部３１の垂直方向における最大寸法であるベース縦寸法は、寸法Ｊ（図６参照）に相当する。
【００３０】
ベース部３１の第一方向の端部である先端部３１Ａは、開放する。ベース部３１の第二方向の端部である基端部３１Ｂは、閉塞する。基端部３１Ｂには、突出部３２が設けられる。突出部３２は、ベース部３１から第三方向へ突出する。突出部３２の先端部は、第二連結機構７２（図５参照）を介して、アーム４の他端部４Ｂに連結する。本例の第二連結機構７２では、周知のボールジョイントが採用される。被覆部５０は、突出部３２と第二連結機構７２との連結位置を支点として、回転自在である。
【００３１】
操作部５５は、ベース部３１の第四方向側の端面３１Ｃに設けられた、略円柱状のダイヤルである。操作部５５は、ベース部３１から第四方向へ突出する。以下、端面３１Ｃから操作部５５の先端までの最短の距離を「突出距離」と称する。突出距離は、寸法Ｒ（図５参照）に相当する。
【００３２】
操作部５５は、視線方向に延びる軸線である回転軸Ｐを中心に、第一回転方向及び第二回転方向に回転可能である。第一回転方向は、第四方向側から見た時計回り方向であり、矢印Ａ１（図２参照）が向く方向である。第二回転方向は、第一回転方向とは反対方向であり、矢印Ａ２（図２参照）が向く方向である。操作部５５の外周面５５Ａは、回転軸Ｐの円周方向に亘って、凹凸状に形成されている。以下、回転軸Ｐを中心とした円周方向を、単に「円周方向」と称す場合があり、回転軸Ｐを中心とした半径方向を、単に「半径方向」と称す場合がある。
【００３３】
図４〜図６を参照し、ＨＭＤ１０が備える表示部３０を説明する。尚、図４では、後述の画像表示装置３７及びレンズユニット３６が模式的に図示されている。表示部３０は、ベース部３１の内部に収容される。表示部３０は、画像表示装置３７、レンズユニット３６、及びハーフミラー３５を備える。画像表示装置３７は、ベース部３１の内部の第二方向側に配置される。画像表示装置３７は、周知の液晶パネル（図示略）を備える。液晶パネルは、生成した画像光を第一方向側へ出射する。尚、液晶パネルの代わりに、Digital Mirror Device（ＤＭＤ）、有機ＥＬ等の二次元表示装置が用いられてもよい。また、液晶パネルの代わりに、２次元的に走査された光を使用者の網膜上に投影する網膜走査型の投影装置（Retinal Scanning Display）が用いられてもよい。
【００３４】
レンズユニット３６は、画像表示装置３７の第一方向側に配置される。レンズユニット３６は複数のレンズ（図示略）を備える。複数のレンズは、画像表示装置３７から出射された光を集光し、先端部３１Ａ側へ導く。レンズユニット３６は、ベース部３１によって、光軸方向に移動可能に保持される。
【００３５】
レンズユニット３６は、第四方向側の端部に、凸部（図示略）を備える。凸部は、操作部５５の第三方向の端面に形成されたカム溝（図示略）に係合する。使用者が回転軸Ｐまわりに操作部５５を回転させると、レンズユニット３６は第一方向又は第二方向へ移動する。レンズユニット３６が移動することによって、画像表示装置３７から出射された画像光の焦点距離が変化する。従って、使用者はピント調節を行うことができる。
【００３６】
ハーフミラー３５は、レンズユニット３６の第一方向側に配置され、先端部３１Ａによって保持される。ハーフミラー３５は、レンズユニット３６が導く画像光を偏向させる偏向部材の一例である。ハーフミラー３５は、反射面に入射した光の一部（例えば５０％）を反射させ、他部を透過させることができる。ハーフミラー３５の反射面は、例えば、透明な樹脂やガラスの基板上に、アルミや銀などの金属を所定の反射率（例えば５０％）となるように蒸着することで形成される。尚、先端部３１Ａには、ハーフミラー３５に代えて、例えば全反射ミラー、回折格子、プリズム、及びホログラム等の他の偏向部材が設けられてもよい。
【００３７】
ハーフミラー３５は、レンズユニット３６が導く画像光を第三方向へ反射し、使用者の片目に入射させる。使用者は、ハーフミラー３５によって反射された画像光に基づく虚像を視認できる。即ち、ハーフミラー３５が画像光を反射する位置が、使用者へ向けて表示部３０が画像を表示する位置となる。
【００３８】
図３、図５〜図７を参照し、カバー１００の構造を説明する。カバー１００は、被覆部５０を外側から被覆する箱状に形成された可撓性部材であり、例えばシリコンゴムによって形成される。カバー１００は被覆部５０から取外し可能である。以下、被覆部５０に取り付けられた状態を基準に、カバー１００の構造を説明する。カバー１００は、ベース壁部１１０と操作壁部１２０を含む。ベース壁部１１０はベース部３１を外側から覆う壁部であり、操作壁部１２０は操作部５５を外側から覆う壁部である。ベース壁部１１０と操作壁部１２０は、一体的に形成される。
【００３９】
ベース壁部１１０は、上壁部１０１、下壁部１０２、右壁部１０３、左壁部１０４、後壁部１０５、及び前壁部１０６を含む。上壁部１０１と下壁部１０２は、垂直方向に沿って、ベース部３１を挟んで対向する（図６参照）。上壁部１０１はベース部３１の第五方向側の端部に接触し、下壁部１０２はベース部３１の第六方向側の端部に接触する。
【００４０】
図５に示すように、右壁部１０３と左壁部１０４は、光軸方向に沿ってベース部３１を挟んで対向する。右壁部１０３は、第一方向の側から先端部３１Ａに対向し、左壁部１０４は、第二方向の側から基端部３１Ｂに対向する。後壁部１０５と前壁部１０６は、視線方向に沿ってベース部３１を挟んで対向する。後壁部１０５は第三方向の側からベース部３１に対向し、前壁部１０６は第四方向の側からベース部３１に対向する。前壁部１０６のうち、光軸方向の中央部には、操作部５５が挿通される開口部１０６Ａが形成される。
【００４１】
図３に示すように、後壁部１０５のうち、第一方向側の部位には、第一貫通穴１０５Ａが設けられる。第一貫通穴１０５Ａは、後壁部１０５を厚さ方向に貫通する。第一貫通穴１０５Ａには、ハーフミラー３５が射出する画像光が通過可能である。即ち、第一貫通穴１０５Ａは、表示部３０が画像を表示する位置と光軸方向において同じ位置に配置される。後壁部１０５のうち、第二方向側の部位には、第二貫通穴１０５Ｂが設けられる。第二貫通穴１０５Ｂ内側には、上述の突出部３２が配置される。
【００４２】
図２、図５、図７に示すように、操作壁部１２０は、前壁部１０６の開口部１０６Ａから第四方向へ突出する筒状であり、内側に操作部５５を収容する。操作壁部１２０の第四方向の端部は閉塞する。操作壁部１２０は、外側から力が作用していない状態では、回転軸Ｐの円周方向に亘って操作部５５から離間する（図７参照）。
【００４３】
操作壁部１２０は、湾曲壁部１２９、上対向壁部１２１、及び前対向壁部１２８を含む。湾曲壁部１２９は、略Ｕ字状に形成された壁部である。湾曲壁部１２９は、操作部５５を、第一方向側、第二方向側、及び第六方向側から覆う。上対向壁部１２１は、湾曲壁部１２９の第五方向における二つの端部を接続する壁部である。上対向壁部１２１は、操作部５５を第五方向側から覆う。前対向壁部１２８は、湾曲壁部１２９と上対向壁部１２１の第四方向の端部を接続する壁部である。前対向壁部１２８は、操作部５５を第四方向側から覆う。
【００４４】
図７に示すように、上対向壁部１２１は、第五方向の端面である上面１２２を含む。上面１２２には、視線方向に直線状に延びるリブ１２３が、光軸方向に沿って複数並んで配置される。
【００４５】
以下、湾曲壁部１２９と上対向壁部１２１のうちで、操作部５５側の面を、「内周面１２７」と称する。本例では、内周面１２７は、円周方向に亘って、外周面５５Ａと半径方向に対向する。内周面１２７は、第一部位１３１と二つの第二部位１３２を含む。第一部位１３１は、上対向壁部１２１の第六方向の端面である。第一部位１３１は、光軸方向に亘って凹凸状に形成される。第二部位１３２は、内周面１２７のうちで、湾曲壁部１２９の第五方向における二つの端の一方と、上対向壁部１２１の光軸方向における一端とが接続される部位である。二つの第二部位１３２は、第一部位１３１に対して円周方向の両側にそれぞれ位置する。
【００４６】
本例では、上対向壁部１２１に外側から力が作用していない状態では、第一部位１３１は、第一離間距離だけ隙間を空けて外周面５５Ａと対向する。第一離間距離は、寸法Ｓ１に相当する距離である。第一離間距離は、上対向壁部１２１に外力が作用していない状態における、第一部位１３１と外周面５５Ａとの半径方向における距離である。
【００４７】
本例では、使用者が、所定値を超える大きさの力で、外側から操作壁部１２０を付勢した場合、上対向壁部１２１は、第一部位１３１が外周面５５Ａに接触する位置まで、変形できる（図９参照）。
【００４８】
また、上対向壁部１２１に外側から力が作用していない状態では、各第二部位１３２は、第二離間距離だけ隙間を空けて外周面５５Ａと対向する。第二離間距離は、寸法Ｓ２に相当する距離である。第二離間距離は、上対向壁部１２１に外力が作用していない状態における、第二部位１３２と外周面５５Ａとの半径方向における距離である。第二離間距離は、第一離間距離よりも長い。
【００４９】
図５〜図８を参照し、カバー１００の寸法について説明する。図５に示すように、右壁部１０３と左壁部１０４との最短距離は、ベース部３１の光軸方向における最大寸法よりも僅かに長い。右壁部１０３と左壁部１０４との最短距離は、カバー１００が被覆部５０に取り付けられているか否かに関わらず、略一定である。同様に、後壁部１０５と前壁部１０６との最短距離は、ベース部３１の視線方向における最大寸法よりも僅かに長い。後壁部１０５と前壁部１０６との最短距離は、カバー１００が被覆部５０に取り付けられているか否かに関わらず、略一定である。
【００５０】
図８に示すように、上壁部１０１と下壁部１０２の最短距離は、カバー１００が被覆部５０に取り付けられていない状態では、第一所定距離だけ離間する。第一所定距離は、寸法Ｌに相当する距離であり、ベース部３１のベース縦寸法（図６の寸法Ｊ）よりも短い。つまり、カバー１００が被覆部５０に取り付けられた状態においては、上壁部１０１と下壁部１０２は、ベース部３１の形状に対応する位置まで押し広げられており、ベース部３１に対して密着する（図６参照）。従って、カバー１００に対して、外側から力が作用する場合であっても、ベース壁部１１０はベース部３１に対して相対移動しにくい。
【００５１】
図７に示すように、操作壁部１２０に外側から力が作用していない状態では、湾曲壁部１２９は略均一の厚さ（以下、「第一厚さ」と称す）で形成される。第一厚さは寸法Ｗに相当する。第一厚さは、ベース壁部１１０の厚さ（図５、図６参照）よりも薄い。より詳細には、第一厚さは、上壁部１０１、下壁部１０２、右壁部１０３、左壁部１０４、後壁部１０５、及び前壁部１０６の、何れの壁部の厚さよりも薄い。
【００５２】
図５に示すように、ベース壁部１１０の後壁部１０５と、操作壁部１２０の前対向壁部１２８は、視線方向において第二所定距離だけ離間する。第二所定距離は、寸法Ｕに相当する距離である。第二所定距離は、後壁部１０５の内表面と、前対向壁部１２８の内表面との視線方向における最短距離である。ベース部３１の第三方向の端と、操作部５５の先端は、視線方向において第三所定距離だけ離間する。第三所定距離は、寸法Ｔに相当する距離である。第三所定距離は、ベース部３１の第三方向の端と、操作部５５の先端との視線方向における最大距離である。第三所定距離は、第二所定距離よりも短い。
【００５３】
第三所定距離から第二所定距離を差し引いた距離である第四所定距離は、寸法Ｖと略等しい。第四所定距離は、カバー１００の内表面と被覆部５０の外表面との間に生じる隙間の、視線方向における最大幅である。本例では、第四所定距離は、操作部５５の突出距離（即ち寸法Ｒ）よりも短い。
【００５４】
図３を参照し、カバー１００に被覆部５０を取り付ける方法の概略を説明する。使用者は、左手で固定具５（図１参照）と被覆部５０を持ち、右手でカバー１００を持つ。使用者は、カバー１００の上壁部１０１と下壁部１０２を押し広げた状態で、被覆部５０の先端部３１Ａを、第二貫通穴１０５Ｂからカバー１００の内部に進入させる。使用者は、ハーフミラー３５が第一貫通穴１０５Ａに対して第四方向側となるように、且つ、操作部５５（図２参照）が操作壁部１２０に収容するように、被覆部５０の配置位置を調整する。使用者は、基端部３１Ｂを第二貫通穴１０５Ｂから被覆部５０の内部に進入させた後、上壁部１０１と下壁部１０２から右手を離す。上壁部１０１と下壁部１０２は、垂直方向の両側から被覆部５０を挟み込んで密着する。これにより、カバー１００は被覆部５０に取り付けられる。尚、カバー１００を被覆部５０から取り外す場合、使用者は、上壁部１０１と下壁部１０２を押し広げて、第二貫通穴１０５Ｂから被覆部５０を引き出せばよい。
【００５５】
図７、図９、図１０を参照し、使用者がカバー１００を介して操作部５５を回転させる方法を説明する。固定具５は使用者の頭部に固定されており、被覆部５０は使用姿勢にある。
【００５６】
図７、図９に示すように、使用者は、片手の親指と人指し指とで上壁部１０１と下壁部１０２を挟んだ後、上対向壁部１２１を操作部５５に向けて中指で押し付ける。このとき、使用者の中指は、上面１２２のリブ１２３に接触する。所定値を超える大きさの力が、上対向壁部１２１に作用する。これにより、上壁部１０１は、光軸方向の両端部を支点として、第六方向に向けて略円弧状に撓んで変形する。上対向壁部１２１の変形に伴い、第一部位１３１は、操作部５５の外周面５５Ａに接触する。第二部位１３２は、操作部５５から離間する状態を維持する。
【００５７】
図９、図１０に示すように、使用者は、第一部位１３１を外周面５５Ａに押し付けながら、上対向壁部１２１を第二方向側へ付勢する。この付勢力は、第一部位１３１と操作部５５の外周面５５Ａとの摩擦力によって操作部５５に伝わる。操作部５５に伝わる摩擦力の大きさは、回転軸Ｐを中心としたトルクの大きさよりも、大きい。これにより、操作部５５には、第一回転方向へ回転するための力である第一回転力Ｆ１（図１０参照）が作用する。この結果、外周面５５Ａと接触する第一部位１３１は、操作部５５と一体的に第一回転方向に回転し、ベース部３１に対して相対移動する。このとき、使用者の中指は、リブ１２３と接触しているので、上対向壁部１２１に対して滑りにくい。
【００５８】
操作部５５の回転に伴い、湾曲壁部１２９の第五方向における二つの端部は、第五方向へ向かう程第二方向側へ傾斜するように、変形する。このときであっても、上壁部１０１と下壁部１０２がベース部３１に密着しているので、ベース壁部１１０はベース部３１に対して位置ずれしない。即ち、上壁部１０１と下壁部１０２のベース部３１に対する相対移動量は、ゼロである。上壁部１０１と下壁部１０２のベース部３１に対する相対移動量は、第一部位１３１のベース部３１に対する相対移動量よりも小さい。
【００５９】
図７、図１０に示すように、操作部５５の回転後、使用者が上対向壁部１２１から中指を離すと、湾曲壁部１２９と上対向壁部１２１は復元する。本例では、使用者が上対向壁部１２１から中指を離した直後、第一部位１３１は、第五方向側且つ第一方向側へ移動する。従って、操作部５５は、第一部位１３１から力を受けない。換言すると、湾曲壁部１２９と上対向壁部１２１が復元する場合、操作部５５に付与される第二回転方向を向く力の大きさは、ゼロである。この第二回転方向を向く力の大きさは、回転軸Ｐを中心としたトルクの大きさよりも小さい。
【００６０】
使用者が操作部５５を第二回転方向に回転させる方法は、上記方法と同様であるので、詳細な説明は省略する。使用者は、カバー１００を介して操作部５５を第一回転方向又は第二回転方向に回転させることで、表示部３０のピントを調整できる。
【００６１】
以上、説明したように、使用者は、第一部位１３１が外周面５５Ａに接触する状態で、上対向壁部１２１を光軸方向に変形させる。第一部位１３１が、操作部５５に第一回転力Ｆ１を付与することで、操作部５５は第一回転方向に回転する。これにより、使用者は、上対向壁部１２１を介して、操作部５５を第一回転方向へ回転できる。そして、使用者が上対向壁部１２１から中指を離すと、上対向壁部１２１は元の形状に復元する。この場合、操作部５５には第二回転方向を向く力が作用しないので、操作部５５は、使用者による操作前の回転位置まで戻りにくい。また、カバー１００によって被覆される被覆部５０は、外気に晒されにくい。これにより、被覆部５０の清潔性は保たれ易い。以上より、ＨＭＤ１０の清潔性を保ち易く、且つ、ＨＭＤ１０に設けられた操作部５５を、カバー１００を介して操作可能なＨＭＤカバーシステム１が実現される。
【００６２】
操作部５５が第一回転方向に回転した後、使用者が上対向壁部１２１から中指を離すと、上対向壁部１２１は元の形状に復元し、第一部位１３１は外周面５５Ａから離間する。従って、第一回転方向に回転した操作部５５は、使用者による操作前の回転位置まで更に戻りにくくなる。
【００６３】
第一部位１３１は、外周面５５Ａの円周方向における一部と対向する。これにより、操作部５５と上対向壁部１２１とが互いに接触する円周方向の位置が限定される。従って、ＨＭＤカバーシステム１は、第一部位１３１の変形量を増大させつつも、操作壁部１２０をコンパクト化できる。操作壁部１２０がコンパクト化することで、カバー１００がコンパクト化する。また、使用者は、上対向壁部１２１を介して操作部５５を回転させる場合に、上対向壁部１２１の上面１２２の同じ部位を触ることができる。従って、使用者が操作部５５を回転させる場合に、ベース壁部１１０を被覆部５０から外させる突発的な力が発生しにくい。
【００６４】
上壁部１０１と下壁部１０２がベース部３１に密着する。使用者が上対向壁部１２１を介して操作部５５を回転させる場合に、上壁部１０１と下壁部１０２のベース部３１に対する相対移動量は、第一部位１３１のベース部３１に対する相対移動量よりも小さい。ベース壁部１１０のベース部３１に対する相対移動量が小さいので、使用者は、操作壁部１２０を触る手とは別の手で、ベース壁部１１０を保持する必要はない。よって、使用者は、カバー１００を介して操作部５５を回転させる操作を、片手で行うことができる。
【００６５】
第二離間距離（図７の寸法Ｓ２）は、第一離間距離（図７の寸法Ｓ１）よりも長い。従って、使用者は、上対向壁部１２１を介して操作部５５を回転させる場合、第二部位１３２を操作部５５に接触させることなく、第一部位１３１を大きなストロークで変形させ易い。よってＨＭＤカバーシステム１は、操作部５５を回転させる操作性を向上できる。
【００６６】
操作壁部１２０の湾曲壁部１２９の第一厚さ（図７の寸法Ｗ）は、ベース壁部１１０の厚さよりも薄い。従って、使用者が、外周面５５Ａに押し当てた上対向壁部１２１を変形させる場合、湾曲壁部１２９は、変形し易い。湾曲壁部１２９が変形し易いので、使用者は操作部５５を回転させ易い。また、ベース壁部１１０は湾曲壁部１２９よりも変形しにくい。従って、使用者が、操作部５５を回転させる場合に、ベース壁部１１０は、ベース部３１に対してずれにくい。よって、ＨＭＤカバーシステム１は、操作部５５を回転させる操作性を更に向上できる。
【００６７】
表示部３０は被覆部５０に収容される。被覆部５０は、第一連結機構７１及び第二連結機構７２を介して固定具５に連結する。使用者は、カバー１００を介して持つ被覆部５０を、自在に移動させることができる。これにより、使用者は、表示部３０が画像を表示する位置を自在に調整できる。また、使用者は、カバー１００を介して操作部５５を回転させることで、表示部３０のピントを調整できる。つまり、使用者は、カバー１００を介して被覆部５０に触れるだけで、表示部３０が画像を表示する位置の調整と、表示部３０のピント調整とを行うことができる。使用者が、被覆部５０に直接触れることなく上記操作を行うことができるので、被覆部５０の清潔性は、更に保たれ易い。
【００６８】
ハーフミラー３５が射出する画像光は、第一貫通穴１０５Ａを通過でき、カバー１００によって遮断されない。よって、ＨＭＤカバーシステム１は、ＨＭＤ１０の清潔性を保ちつつ、表示部３０によって表示される画像の視認性を維持できる。
【００６９】
第一部位１３１は凹凸形状に形成されるので、第一部位１３１と外周面５５Ａとの接触面積は、低減する。従って、第一部位１３１と外周面５５Ａとが接触する場合に発生する摩擦力は、増加する。第一部位１３１が外周面５５Ａに対して滑りにくい。よって、ＨＭＤカバーシステム１は、操作部５５を回転させる操作性を更に向上できる。
【００７０】
第四所定距離（図５の寸法Ｖ）は、突出距離（図７の寸法Ｒ）よりも短い。従って、操作部５５の操作前に、カバー１００がベース部３１に対して位置ずれしても、上対向壁部１２１を付勢する使用者の中指は、操作部５５に対して視線方向にずれにくい。故に、ＨＭＤカバーシステム１は、操作部５５を回転させる操作性を更に向上できる。
【００７１】
第一所定距離（図８の寸法Ｌ）は、ベース部３１のベース縦寸法（図６の寸法Ｊ）よりも短い。従って、カバー１００が被覆部５０に装着された状態では、上壁部１０１と下壁部１０２は、垂直方向からベース部３１を挟み込んで密着する。従って、ユーザが、変形した上対向壁部１２１から中指を離した場合、操作壁部１２０は、元の形状に復元し易い。
【００７２】
ベース壁部１１０と操作壁部１２０は、一体的に形成される。従って、ベース壁部１１０と操作壁部１２０とが別体で構成されている場合に比べ、カバー１００は、構成の簡易化と、価格の低廉化とを実現できる。また、ベース壁部１１０と操作壁部１２０が一体的に形成されることで、被覆部５０は外気に晒されにくくなる。この結果、ＨＭＤカバーシステム１が、例えば医療現場で使用される場合、雑菌、飛沫、及び粉塵等の汚染物は、被覆部５０に付着しにくく、ＨＭＤ１０の清潔性は保たれ易い。さらに、ＨＭＤカバーシステム１が、患者の手術を行う医師によって使用される場合、使用されたカバー１００が、別の未使用のカバー１００に手術後に取り替えられれば、被覆部５０の清潔性は継続して維持される。
【００７３】
上記のＨＭＤカバーシステム１は種々の変更が可能である。操作部５５は、表示部３０のピント調整をする代わりに、表示部３０の画像光の光量を調整してもよい。また、ＨＭＤ１０が、外部機器の一例であるスピーカと電気的に接続している場合、操作部５５はスピーカの音量調整をしてもよい。
【００７４】
また、図１１に示すように、第一貫通穴１０５Ａに透明部材１０９が嵌め込まれてもよい。透明部材１０９は、例えばアクリルによって構成される部材である。透明部材１０９が設けられることで、被覆部５０は外気に更に晒されにくくなる。また、透明部材１０９は、ハーフミラー３５が射出する画像光を通過させることができる。よって、表示部３０が表示する画像光の視認性が維持されつつも、ＨＭＤ１０の清潔性は更に向上する。
【００７５】
また、湾曲壁部１２９の第一厚さは、上壁部１０１、下壁部１０２、右壁部１０３、左壁部１０４、後壁部１０５、及び前壁部１０６の、少なくとも一つの壁部（以下、「所定壁部」と称す）よりも薄ければよい。言い換えると、所定壁部が、第一厚さよりも薄い部位を含んでいれさえすればよい。
【００７６】
上記実施形態において、固定具５は本発明の「固定部」の一例である。内周面１２７は本発明の「第一面」の一例である。上壁部１０１と下壁部１０２は本発明の「接触部位」、「第一接触部位」、「第二接触部位」の一例である。操作壁部１２０は本発明の「第一壁部」の一例である。ベース壁部１１０は本発明の「第二壁部」の一例である。第一貫通穴１０５Ａは本発明の「貫通穴」の一例である。前対向壁部１２８は本発明の「第一対向部」の一例である。後壁部１０５は本発明の「第二対向部」の一例である。第一所定距離は本発明の「第一部位と前記第二部位との距離」の一例である。第二所定距離は本発明の「第一距離」の一例である。第三所定距離は本発明の「第二距離」の一例である。第四所定距離は本発明の「第三距離」の一例である。第四方向は本発明の「一方向」の一例である。
【００７７】
図１２、図１３を参照し、カバー１００の第一変形例であるカバー２００を説明する。カバー２００は、操作壁部１２０に代えて操作壁部２２０を備える。操作壁部２２０は、上対向壁部１２１に代えて上対向壁部２２１を備える点を除いて、操作壁部１２０と同様の構成である。
【００７８】
上対向壁部２２１は、基部２４０、支点部２３９、二つの第一突出部２３１、及び二つの第二突出部２３２を含む。基部２４０は、湾曲壁部１２９の第五方向における二つの端部を接続する。基部２４０は、第五方向の側から操作部５５に対向する。基部２４０は、第五方向側の端面である上面２２２と、第六方向側の端面である下面２２４とを含む。上面２２２の光軸方向の両端部にはそれぞれ、複数のリブ１２３が設けられる。以下、湾曲壁部１２９と上対向壁部２２１のうち、操作部５５側の面を「内周面２２７」と称する。内周面２２７は、基部２４０の下面２２４を含む。内周面２２７は、操作部５５の外周面５５Ａと半径方向に対向する。
【００７９】
支点部２３９は、視線方向に延びる棒状であり、下面２２４の光軸方向の中央部と一体的に形成される。支点部２３９はベース部３１の上面に接触している。支点部２３９は、回転軸Ｐと垂直方向に沿って並ぶ。二つの第一突出部２３１は、支点部２３９を挟んで光軸方向に並ぶ位置にて、下面２２４と一体的に形成される。二つの第二突出部２３２は、二つの第一突出部２３１を挟んで光軸方向に並ぶ位置にて、下面２２４と一体的に形成される。第一突出部２３１と第二突出部２３２は、基部２４０から第六方向へ突出する。操作壁部２２０に外側から力が作用していない状態では、第一突出部２３１と第二突出部２３２のそれぞれの先端部は、いずれも、操作部５５の外周面５５Ａに接触する（図１３（ａ）参照）。
【００８０】
図１３を参照し、使用者が操作部５５を第一回転方向に回転させる方法を説明する。使用者は、親指と人指し指とで上壁部１０１と下壁部１０２を挟んだ後、上面２２２の第二方向の端部を第四方向側へ中指で押し付ける。この場合、使用者の中指は、リブ１２３に接触するので、基部２４０に対して滑りにくい。
【００８１】
図１３（ａ）、（ｂ）に示すように、基部２４０は、支点部２３９を支点として、第一回転方向に回転するように変形する。結果、基部２４０は、第二方向へ向かうに従い第六方向側へ向かうように傾斜する。基部２４０が変形する場合、支点部２３９よりも第一方向側にある第一突出部２３１と第二突出部２３２は、第五方向側へ移動し、外周面５５Ａから離間する。一方、支点部２３９よりも第二方向側にある第一突出部２３１と第二突出部２３２は、第六方向側へ移動し、操作部５５に接触して第一回転方向へ付勢する。支点部２３９よりも第二方向側にある第一突出部２３１と第二突出部２３２は、第六方向へ向かうに従い第二方向側へ向かうように傾斜し、半径方向に対して傾斜する。操作部５５には、第一回転方向へ回転するための力である第一回転力Ｒ１が作用する。これにより、使用者はカバー２００を介して操作部５５を第一方向へ回転させることができる。尚、外周面５５Ａに接触している第一突出部２３１と第二突出部２３２は、第二方向へ向かうに従い第六方向側へ向かうように傾斜している。つまり、第一突出部２３１と第二突出部２３２は、それぞれ、自身の先端部が外周面５５Ａに対して第一回転方向に逃げるように、傾斜する。これにより、第二方向側にある第一突出部２３１及び第二突出部２３２と、操作部５５との間で発生する摩擦力（以下、第一摩擦力と称する）は、第一回転方向を向く成分を有する。従って、支点部２３９よりも第二方向側にある第一突出部２３１及び第二突出部２３２と、外周面５５Ａとは、操作部５５が第二回転方向へ回転するのを阻止する一種のラチェット機構として機能する。
【００８２】
図１３（ｂ）、（ｃ）に示すように、操作部５５が回転した後、使用者は上対向壁部２２１から中指を離す。上対向壁部２２１は、元の形状に復元する。第一突出部２３１と第二突出部２３２は、先端部が操作部５５に対して第一回転方向に逃げるように傾斜しているので、上対向壁部２２１が復元する場合の第一摩擦力の大きさは、使用者が上対向壁部２２１を付勢する場合に比べて小さい。また、上対向壁部２２１が復元したとき、支点部２３９よりも第一方向側にある第一突出部２３１と第二突出部２３２は、外周面５５Ａに接触する。このとき、第一方向側にある第一突出部２３１と第二突出部２３２は、上対向壁部２２１の復元に伴う反動によって、操作部５５を第六方向側へ僅かに付勢する。第二回転方向を向く力である反力Ｒ２（図１３（ｃ）参照）が、操作部５５に作用する。反力Ｒ２の大きさは、第一回転力Ｆ１の大きさよりも小さい。また、第一方向側にある第一突出部２３１及び第二突出部２３２と、外周面５５Ａとの間で生じる摩擦力の大きさは、回転軸Ｐを中心としたトルクの大きさよりも小さい。従って、操作部５５は、第二回転方向に回転しない。以上の操作によって、使用者は、操作部５５を第一回転方向へ回転させることができる。
【００８３】
本変形例において、内周面２２７は、本発明の「第一面」の一例である。第一突出部２３１、第二突出部２３２は、本発明の「第一部位」の一例である。操作壁部２２０は、本発明の「第一壁部」の一例である。
【００８４】
図１４及び図１５を参照し、カバー１００の第二変形例であるカバー３００を説明する。カバー３００は、ベース壁部３１０と操作壁部３２０とを含む。ベース壁部３１０は、前壁部１０６（図２参照）に代えて前壁部３０６を含む点を除いて、ベース壁部１１０（図２参照）と同様の構成である。前壁部３０６は、第四方向側からベース部３１に対して対向する。前壁部３０６の光軸方向の中央部には、操作部５５が挿通される円形状の開口部３０６Ａが形成される。
【００８５】
操作壁部３２０は、開口部３０６Ａから第四方向へ突出する円筒状であり、操作部５５を内側に収容する。操作壁部３２０の第四方向の端部は、閉塞する。操作壁部３２０は、円周方向に延びる周壁部３２１を含む。操作壁部３２０に外側から力が作用していない状態では、周壁部３２１の内周面３２１Ａは、円周方向に亘って、外周面５５Ａと隙間を空けて対向する（図１５参照）。本変形例では、操作壁部３２０が変形することで、内周面３２１Ａの円周方向における任意の部位が、外周面５５Ａと接触可能である。
【００８６】
詳細な図示は省略するが、使用者は操作部５５を第一回転方向へ回転させる場合、周壁部３２１を片手で掴んで操作部５５へ押し付ける。変形した操作壁部３２０の内周面３２１Ａの一部が、外周面５５Ａに接触する。使用者は、操作壁部３２０を第一回転方向へ捩らせるように変形させる。内周面３２１Ａと操作部５５は、一体的に第一回転方向へ回転移動する。尚、この場合、ベース壁部３１０の上壁部１０１と下壁部１０２が、ベース部３１に密着しているので、ベース壁部１１０は、回転軸Ｐを中心に回転移動することはない。
【００８７】
操作部５５が回転した後、使用者が周壁部３２１から手を離すと、操作壁部３２０は元の形状に復元する。操作壁部３２０が復元を開始した直後、内周面３２１Ａは外周面５５Ａから離間する。よって、操作部５５に作用する第二回転方向を向く力は、ゼロである。
【００８８】
本変形例において、内周面３２１Ａは、本発明の「第一面」、「第一部位」の一例である。ベース壁部３１０は、本発明の「第二壁部」の一例である。操作壁部３２０は、本発明の「第一壁部」の一例である。
【００８９】
図１６、図１７を参照し、カバー１００の第三変形例であるカバー４００を説明する。カバー４００は、操作壁部３２０に代えて操作壁部４２０を備える点を除いて、カバー３００（図１４参照）と同様の構成である。操作壁部４２０は、開口部３０６Ａから第四方向へ突出する円柱状であり、操作部５５を内側に収容する。操作壁部４２０の第四方向の端部は閉塞する。
【００９０】
操作壁部４２０は対向壁部４２１を含む。対向壁部４２１は、第四方向側から操作部５５と対向する壁部であり、回転軸Ｐを中心とした円板状である。対向壁部４２１は対向面４２１Ａを含む。対向面４２１Ａは、操作壁部４２０の内表面のうちで、第四方向側から操作部５５に対向する面である。
【００９１】
操作壁部４２０は、周壁部４２５を含む。周壁部４２５は操作部５５を内側に収容する円筒状である。周壁部４２５は内周面４２５Ａを含む。内周面４２５Ａは操作部５５の外周面５５Ａと半径方向に対向する。以下、対向壁部４２１の対向面４２１Ａと周壁部４２５の内周面４２５Ａを総称して、内周面４２７と称する。
【００９２】
対向面４２１Ａには、複数の溝部４２３が設けられる。複数の溝部４２３は、円周方向に亘って等間隔に配置される。溝部４２３は、回転軸Ｐから所定の距離だけ離間した位置から、半径方向に沿って直線状に延びる。以下、対向面４２１Ａのうち、各溝部４２３の回転軸Ｐ側の端部によって囲まれる部位を「第一部位４３１」と称す。
【００９３】
使用者は、操作部５５を回転させる場合、対向壁部４２１を第三方向へ向けて押し付ける。対向壁部４２１が変形し、第一部位４３１は操作部５５に接触する。使用者は、第一部位４３１を操作部５５に押し付けた状態のまま、操作壁部４２０を第一回転方向に捩るように変形させる。操作部５５の第四方向側の面には突起５６が設けられる。突起５６は、溝部４２３とかみ合って変形力を伝達する。これにより、使用者は、操作壁部４２０を介して操作部５５を第一回転方向に回転させることができる。操作部５５が回転した後、使用者が対向壁部４２１から手を離すと、対向壁部４２１は元の形状に復元する。対向壁部４２１が復元を開始した直後、第一部位４３１は操作部５５から離間する。
【００９４】
本変形例において、内周面４２７は本発明の「第一面」の一例である。操作壁部４２０は本発明の「第一壁部」の一例である。ベース壁部３１０は本発明の「第二壁部」の一例である。
【符号の説明】
【００９５】
１                              ＨＭＤカバーシステム
５                              固定具
１０                            ＨＭＤ
３０                            表示部
５０                            被覆部
５５                            操作部
１００，２００，３００，４００  カバー
１０１                          上壁部
１０２                          下壁部
１０５Ａ                        第一貫通穴
１０５                          後壁部
１０９                          透明部材
１１０，３１０                ベース壁部
１２０，２２０，３２０        操作壁部
１２７，２２７，４２７        内周面
１２８                        前対向壁部
１３１，４３１                第一部位
１３２                        第二部位
２３１                        第一突出部
２３２                        第二突出部
３２１Ａ                      内周面
４２１Ａ                      対向面
Ｐ                            回転軸
Ｆ１，Ｒ１                    第一回転力
Ｒ２                          反力
【図１】
0006504009.tif 000002
【図２】
0006504009.tif 000003
【図３】
0006504009.tif 000004
【図４】
0006504009.tif 000005
【図５】
0006504009.tif 000006
【図６】
0006504009.tif 000007
【図７】
0006504009.tif 000008
【図８】
0006504009.tif 000009
【図９】
0006504009.tif 000010
【図１０】
0006504009.tif 000011
【図１１】
0006504009.tif 000012
【図１２】
0006504009.tif 000013
【図１３】
0006504009.tif 000014
【図１４】
0006504009.tif 000015
【図１５】
0006504009.tif 000016
【図１６】
0006504009.tif 000017
【図１７】
0006504009.tif 000018